(57)【要約】【課題】衝突の慣性による乳幼児の脊柱の長手方向の加速度の増加を抑制できる子供用安全キャリアを提供する。【解決手段】子供用安全キャリアのためのベースは、前端が脚（３）として下方に折り曲げられた２つの管状鋼長手材（２）を含む、下部構造（１）を有する。脚（３）は当接部（５）付の内脚（４）を伸縮自在に担持する。それらの前端で、長手材（２）は横部材（７）によって間隔配置される。長手材（２）の後端にはクロスチューブ（１１）があり、この端部にＩＳＯＦＩＸラッチ（１５）の内側部分が溶接される。ＩＳＯＦＩＸラッチ（１５）の内側には鋼支柱（１６）が担持される。ベースはＩＳＯＦＩＸ点Ｌを介して大人用シートに係止される。ベースが係止されると、長手材（２）をシートクッションＳの上に近接させて、脚が床Ｆに届くように調整される。乳幼児キャリア（３０）は下部構造（１）に係合される。キャリア（３０）はその側面（３２）に取り付けられたハンドル（３１）を有する。長手材（２）は、キャリア（３０）の底縁のチャネルに受容される。側面（３２）の前部（後向きキャリア３０の後部）で、隅部（３４）は、長手材（２）、脚（３）、及び横部材（７）の接合部で長手材（２）に固締された傾面成形体（２２）に受容される。斜面は、正面事故時に、隅部（３４）が斜面を登り、キャリア内の乳幼児により垂直の姿勢をもたらすように構成される。使用時に、乳幼児キャリア（３０）の頂部は、ＩＳＯＦＩＸ点への乳幼児キャリアの主要固定装置であるラッチ（２３）を介して、支柱（１６）の遠端に接続される。【選択図】図２
2008503378.tif 000002
【特許請求の範囲】
【請求項１】
車両内の大人用シートで使用される子供用安全キャリアのベースであって、
前記大人用シートのクッションに対して位置決め可能な下部構造体と；
前記下部構造体の後部に設けた、該下部構造体を前記大人用シートのクッション及び背部の接合部に結合するための１対のアタッチメントと；
前記アタッチメントの一端及び前記下部構造体の後部と、前記子供用安全キャリアに設けた所定のリンク固定点と、を連結する接続リンクと；
前記大人用シートのクッションの前縁を越えて延出し前記車両の床に当接する、前記下部構造体の前部となる脚と；
前記子供用安全キャリアの前記脚の上昇を伴って、前記子供用安全キャリアが前記大人用シートの背部から離れるように移動することを可能にする、前記子供用安全キャリアと前記下部構造体との間の機械的接続部と；
を備えたことを特徴とする子供用安全キャリアのベース。
【請求項２】
前記アタッチメントが大人用シートベルトのアタッチメントである、請求項１記載の子供用安全キャリアのベース。
【請求項３】
前記アタッチメントが、前記下部構造体を前記大人用シートのＩＳＯＦＩＸ点に固定するためのＩＳＯＦＩＸラッチである、請求項１記載の子供用安全キャリアのベース。
【請求項４】
前記接続リンクは、一端が前記下部構造体に枢着され、他端部には、前記子供用安全キャリアに着脱可能に結合する、ラッチが配置される、請求項１乃至３のいずれか一項に記載の子供用安全キャリアのベース。
【請求項５】
前記機械的接続部が、前記子供用安全キャリアの前方部の下端隅部を受ける前記下部構造体に設けた、車両の床に対して所定角度傾いた、斜面であり、前記子供用安全キャリアが前記大人用シートの背部から離れるように移動したときに、前記子供用安全キャリアの前記下端隅部が前記斜面を昇り、前記子供用安全キャリアの前方部を上昇させる、請求項１乃至３のいずれか一項に記載の子供用安全キャリアのベース。
【請求項６】
前記機械的接続部が、前記子供用安全キャリアを載置する前記下部構造体を構成する横木である、請求項１乃至３のいずれか一項に記載の子供用安全キャリアのベース。
【請求項７】
前記接続リンクが鋼製の管状支柱管である、請求項１乃至６のいずれか一項に記載の子供用安全キャリアのベース。
【請求項８】
前記下部構造体が一対の管状部材からなる、請求項１乃至７のいずれか一項に記載の子供用安全キャリアのベース。
【請求項９】
前記一対の管状部材のそれぞれが、その前端で下方に折り曲げられて前記脚を形成する、請求項８記載の子供用安全キャリアのベース。
【請求項１０】
前記脚が内脚を備え、この内脚を伸縮自在に支持する、請求項９記載の子供用安全キャリアのベース。
【請求項１１】
請求項１乃至１０のいずれか一項に記載の子供用安全キャリアのベースと子供用安全キャリアとの組合せ。
【発明の詳細な説明】
【技術分野】
【０００１】
本発明は、子供用安全キャリアのためのベースに関する。
【背景技術】
【０００２】
子供用安全キャリアのベースは、乗用自動車（以下、車両）、に装着される単一の装置であり、子供の成長応じて必要となる少なくとも２つのサイズの子供用キャリアに使用することができる。
【０００３】
乳幼児の場合、前向きのキャリアは受け入れられない。乳幼児キャリアは後向きに装着される。国によっては、この慣行は就学前年齢の子供に対しても継続される。業界で使用される分類では、前者はグループ０＋の子供であり、後者はグループ１の子供である。
【０００４】
この明細書では、「子供用安全キャリア」は、後向きの「乳幼児キャリア」、後向きのグループ１の子供用シート、及び前向きのグループ１の子供用シートを含むものとする。
乳幼児キャリアは、乳幼児がベッドのような臥位ではなく、リクライニング位置を取るものとする。すなわち、乳幼児キャリアは、臀部を支持する乗員支持体であって脊柱の重量が臀部及びシートのクッションに反作用する従来のシートとは対照的に、脊柱の長さに沿ってその乗員の脊柱の重量を支持する。
【０００５】
通常、乳幼児キャリアは車両外で使用するため、該乳幼児キャリアを運ぶためのキャリングハンドルを有する。
【０００６】
本発明に係る子供用安全キャリアは事故に対して適切に機能する態様で車両に取り付けられている。さらに、子供用安全キャリアは大人用安全ベルトを介して車両に固定することができる。
【０００７】
ＩＳＯＦＩＸは、子供用安全キャリアを車両に固定するためのシステムであり、ＵＮＥＣＥ規則４４．０３に基づき制定されている。そして、ＩＳＯＦＩＸは、大人用シートの背部とシートのクッションとの間の接合部に、子供用安全キャリアを係止することのできる１対の鋼棒を備えている。これらの棒はループとして構成することができ、この明細書では包括的にＩＳＯＦＩＸ点と称している。
【０００８】
ＩＳＯＦＩＸシートは、トップテザーつまりシートの頂部において背部用のテザー（ストラップ）を設けなければ、ＩＳＯＦＩＸ点を中心に枢動する際に過度の前方移動を免れ得ない。
【０００９】
欧州特許出願第１，２７９，５５４号により、車両の床面に当接可能な足支柱付きで、大人用シートベルトを用いて車両シートに固定される、シートベースが公知である。
【００１０】
さらに、欧州特許出願第１，３００，２８０号により、事故時に子供の脊柱角度を増大するために、子供の重心より高い位置となる乳幼児キャリア上の所定箇所に、ＩＳＯＦＩＸラッチからのリンクとの接続点を設けることが公知である。しかしながら、この構成では、子供用安全キャリアが大人用シートの背部から離れるように移動すると、乳幼児キャリアをリンクを中心に下方に回転させる傾向があり、子供の脊柱角度を適切に増加できないという問題があった。
【発明の開示】
【発明が解決しようとする課題】
【００１１】
本発明の目的は、子供用安全キャリアのための改善されたベースを提供することである。
【課題を解決するための手段】
【００１２】
本発明は、車両内の大人用シートで使用される子供用安全キャリアのベースであって、前記大人用シートのクッションに対して位置決め可能な下部構造体と；前記下部構造体の後部に設けた、該下部構造体を前記大人用シートのクッション及び背部の接合部に結合するための、１対のアタッチメントと；前記アタッチメントの一端及び前記下部構造体の後部と、前記子供用安全キャリアに設けた所定のリンク固定点と、を連結する１対のリンクと；前記大人用シートのクッションの前縁を越えて延出し、かつ前記車両の床に当接するように、前記下部構造体の前部となる脚と；前記子供用安全キャリアの前記脚の上昇を伴って、前記子供用安全キャリアが前記大人用シートの背部から離れるように移動することを可能にする、前記子供用安全キャリアと前記下部構造体との間の機械的接続部と；を備えたことを特徴とする。
【００１３】
前記アタッチメントが大人用シートベルトのアタッチメントであると好ましい。また、前記アタッチメントが、前記下部構造体を前記大人用シートのＩＳＯＦＩＸ点に固定するためのＩＳＯＦＩＸラッチであると好ましい。
【００１４】
前記接続リンクは、一端が前記下部構造体に枢着され、他端部には、前記子供用安全キャリアに着脱可能に結合する、ラッチが配置されると好ましい。
【００１５】
前記機械的接続部が、前記子供用安全キャリアの前方部の下端隅部を受ける前記下部構造体に設けた、車両の床に対して所定角度傾いた、斜面であり、前記子供用安全キャリアが前記大人用シートの背部から離れるように移動したときに、前記子供用安全キャリアの前記下端隅部が前記斜面を昇り、前記子供用安全キャリアの前方部を上昇させるようにすると好ましい。
【００１６】
前記機械的接続部が、前記子供用安全キャリアを載置する前記下部構造体を構成する横木であり、前記接続リンクが鋼製の管状支柱管であると好ましい。さらに、前記下部構造体が一対の管状部材からなると好ましい。また、前記一対の管状部材のそれぞれが、その前端で下方に折り曲げられて前記脚を形成し、前記脚が内脚を備え、この内脚を伸縮自在に支持すると好ましい。
【発明の効果】
【００１７】
本発明に係る子供用安全キャリアのベースによれば、子供用安全キャリアが前記大人用シートの背部から離れるように移動しても、該子供用安全キャリアの前方を上昇させることができるので、子供用安全キャリア内の乳幼児の姿勢を(頭部を上にして)より垂直に近づけ、衝突の慣性による乳幼児の脊柱の長手方向の加速度の増加を抑制することができる。
【発明を実施するための最良の形態】
【００１８】
図１乃至図３に示されるより子供用安全キャリアのベース（以下、ベース）は、前端が脚３として下方に折り曲げられた一対の鋼製の管状部材２（以下、管状部材２）から構成される下部構造体１を備えている。
各脚３は、車両の床Fに当接する足（以下、当接部）５付きの内脚４を伸縮自在に支持し、該内脚４の長さ調整装置６が、内脚４及び脚３に設けられている。そして、一対の管状部材２は、脚３の所定位置に溶接した横木７（機械的接続部）により所定間隔離して配置されている。
【００１９】
一方、図３に示されるように、各管状部材２の後端には、成形プラスチック材のベアリングブロック８及びストラップ９が、ボルト１０によって各管状部材２に取り付けられており、ベアリングブロック８は、横木７と平行に配置されるクロスチューブ１１を支持している。さらに、ストラップ９にはスロット１２が形成され、クロスチューブ１１に配置した圧入ロールピン１４がこのスロット１２に嵌入して、クロスチューブ１１を、長手方向は移動不能な状態で、半回転可能としている。そして、クロスチューブ１１の端部には、ＩＳＯＦＩＸラッチ１５(アタッチメント)の内側部分が溶接されている。
【００２０】
ＩＳＯＦＩＸラッチ１５の内側には、鋼製の管状支柱１６（以下、管状支柱１６）（接続リンク）が、成形体１７によって被覆されたベアリングブロック及びストラップ（図示せず）を介して、回転可能に支持されている。なお、これらベアリングブロック及びストラップは、上記ベアリングブロック８及びストラップ９と同様の構成であり、管状支柱１６はクロスチューブ１１に回転可能に支持されている。
管状支柱１６の、クロスチューブ１１の軸方向内側には、使用時に大人用シートの背部Ｂ（図１）に接するリム１９と、管状部材２の端部に支持されるリム２０と、から構成される跳ね返り防止成形体１８が配置されている。したがって、ベースが、大人用シートにそのＩＳＯＦＩＸ点Ｌを介して係止されたときに、ベースは、事故時に跳ね返り上昇することがない。子供用シートベースが係止された状態で、管状部材２がシートクッションＳの上に接し、内脚４の当接部５が床Ｆに届くように調整される。
【００２１】
乳幼児キャリア３０（図１）は下部構造体１に取り付けられる。このキャリア３０は、側面３２を備え、この側面３２にはハンドル３１が取り付けられている。そして、各側面３２はシートクッションＳの近傍まで下方に向けて延びて、一対の側面３２で下向き開口したチャネルを形成している。管状部材２はこのチャネル内に配置される。さらに、各側面３２にはガイド用切欠き３３が設けられ、管状部材２から側方に突出するピン２１が嵌入している。
着座する乳幼児の頭部に対応する乳幼児キャリア３０（側面３２）の前方部分では、側面３２の下方の隅部３４（機械的接続部）が、管状部材２の脚３への屈曲部近傍で管状部材２に固定された受け具２２（以下、受け具２２）（機械的接続部）に載配される。この受け具２２は、車両の床Fに対して所定角度傾いた傾斜面を有している。
次に、図２に示すように、この受け具２２の傾斜面により、正面衝突の場合に、隅部３４（機械的接続部）が斜面を上方に移動し、乳幼児キャリア３０内の乳幼児の姿勢をより垂直に近づけることができ、衝突の慣性による乳幼児の脊柱の長手方向の加速度の増加を抑制することができる。
【００２２】
乳幼児の頭部に対応する乳幼児キャリア３０の頂部は、使用時にラッチ２３を介して支柱１６の遠端に接続される。このラッチ２３及び支柱１６は、乳幼児キャリア３０をＩＳＯＦＩＸ点に結合するための主要固定装置である。より具体的には、支柱１６の一端がラッチ２３に結合し、他端が下部構造体１に枢着している。
これらラッチ２３及び支柱１６により、正面衝突で車両が急減速しても、慣性による乳幼児キャリア３０及び乳幼児の前方移動を防止することができる。すなわち、隅部３４とラッチ２３との間にある乳幼児キャリア３０（乳幼児）の重心に作用する慣性力は、前述のように、隅部３４（乳幼児キャリア３０）を受け具２２の斜面を上方に向けて移動させることにより、乳幼児の姿勢をより垂直に近づけて、衝突の慣性による乳幼児の脊柱にかかる長手方向の加速度の増加を抑制している。
【図面の簡単な説明】
【００２３】
【図１】本発明に係る子供用安全キャリアベースに乳幼児キャリアが装着された状態を示す側面図である。
【図２】正面衝突時の乳幼児キャリアの、子供用安全キャリアベースに対する、位置関係を示す側面図である。
【図３】子供用安全キャリアベースの斜視図である。
【符号の説明】
【００２４】
１  下部構造体
３  脚
１５  ＩＳＯＦＩＸラッチ１５（アタッチメント）
１６  管状支柱（接続リンク）
２２  受け具２２（機械的接続部）
３４  隅部（機械的接続部）
【図１】
2008503378.tif 000003
【図２】
2008503378.tif 000004
【図３】
2008503378.tif 000005
【図４】
2008503378.tif 000006
【国際調査報告】
2008503378.tif 000007
2008503378.tif 000008
2008503378.tif 000009